(57)【要約】【課題】戸パネルを開閉する際にユーザーの体勢バランスが崩れるのを確実に防止できる、引戸用の制動装置を提供する。【解決手段】制動装置は、転動部７に外接して回転駆動されるタイヤ１３および駆動ギヤ１４と、駆動ギヤ１４の回転動力を受継ぐ制動ギヤ１５と、制動ギヤ１４と同行回転して遠心力が閾値を越えた状態において制動力を発揮するブレーキ機構と、制動ベース１６を備えている。タイヤ１３および駆動ギヤ１４は、制動ギヤ１５の周囲に配置されて、制動ギヤ１４の回りに回動変位できるようタイヤアーム１７で回動可能に支持してある。タイヤアーム１７は、タイヤ１３が転動部７と外接する向きにばね３９で回動付勢する。【選択図】図１
2016070342.tif 000002
【特許請求の範囲】
【請求項１】
戸パネル（１）と、戸パネル（１）で開閉される開口面の周囲壁との間に設けられて、一定速度を越えて開閉移動する戸パネル（１）を制動する引戸用の制動装置であって、
制動装置は、転動部（７）に外接した状態で戸パネル（１）の開閉動作に連動して回転駆動されるタイヤ（１３）および駆動ギヤ（１４）と、駆動ギヤ（１４）の回転動力を受継ぐ制動ギヤ（１５）と、制動ギヤ（１５）と同行回転して回転数が閾値を越えた状態において制動力を発揮するブレーキ機構と、これらの部材が装着される制動ベース（１６）を備えており、
タイヤ（１３）および駆動ギヤ（１４）は、制動ギヤ（１５）の周囲に配置されて、駆動ギヤ（１４）が制動ギヤ（１５）と噛合った状態のままで、制動ギヤ（１５）の回りに回動変位できるようタイヤアーム（１７）で回動可能に支持されており、
タイヤアーム（１７）は、タイヤ（１３）が転動部（７）と外接する向きにばね（３９）で回動付勢されており、
戸パネル（１）と開口面の周囲壁のいずれか一方に制動ベース（１６）が固定され、残る他方にタイヤ（１３）と外接する転動部（７）が設けてある引戸用の制動装置。
【請求項２】
タイヤ（１３）および駆動ギヤ（１４）が、制動ギヤ（１５）の周囲の左右２個所に配置してある請求項１に記載の引戸用の制動装置。
【請求項３】
タイヤ（１３）および駆動ギヤ（１４）を支持するタイヤアーム（１７）と、制動ギヤ（１５）およびブレーキ機構が、ギヤ支軸（３４）を介して制動ベース（１６）に組付けられて、制動装置がユニット部品化してある請求項１または２に記載の引戸用の制動装置。
【請求項４】
駆動ギヤ（１４）のギヤ径が制動ギヤ（１５）のギヤ径より小さく設定されて、タイヤ（１３）の回転力を駆動ギヤ（１４）から制動ギヤ（１５）へ減速した状態で伝動する請求項１から３のいずれかひとつに記載の引戸用の制動装置。
【請求項５】
ブレーキ機構が、制動ギヤ（１５）と同行回転するボールホルダー（４２）と、ボールホルダー（４２）に設けた複数の保持溝（４３）に収容される制動ボール（４４）と、ボールホルダー（４２）を収容するブレーキドラム（４５）を備えており、
ブレーキドラム（４５）の内面上部にはボール受部（４７）を備えた膨出部（４８）が形成され、膨出部（４８）を除くブレーキドラム（４５）の内面に、制動ボール（４４）が保持溝（４３）から径方向外側へ突出するのを許す逃げ面（４９）が形成してある請求項１から４のいずれかひとつに記載の引戸用の制動装置。
【請求項６】
戸パネル（１）に制動ベース（１６）が固定され、開口枠（２）に固定したガイドレール（４）に転動部（７）が一体に設けられており、
駆動ギヤ（１４）と制動ギヤ（１５）が、制動ギヤ（１５）の周面で噛合って、タイヤ（１３）が転動部（７）と制動ギヤ（１５）の外郭線とで挟まれた幅狭部（Ｅ）に臨ませてあり、
制動ボール（４４）がボール受部（４７）で受止められた状態において、タイヤ（１３）が前記幅狭部（Ｅ）へ向かって食込んで制動力を増強する請求項５に記載の引戸用の制動装置。
【請求項７】
制動ギヤ（１５）とボールホルダー（４２）が一体に形成されて、制動ベース（１６）に装着したギヤ支軸（３４）で回転自在に軸支されており、
タイヤ（１３）は、駆動ギヤ（１４）と一体に形成したタイヤホィール（２０）と、タイヤホィール（２０）の周面に固定したタイヤ体（２１）とで構成されて、タイヤアーム（１７）に装着したタイヤ軸（２２）で回転自在に軸支されており、
タイヤアーム（１７）がギヤ支軸（３４）で回動可能に支持してある請求項５または６に記載の引戸用の制動装置。
【請求項８】
制動ベース（１６）が、戸パネル（１）に固定される締結壁（３１）と、締結壁（３１）の外面において同壁（３１）と正対する外立壁（３２）を一体に備えており、
外立壁（３２）の外面に、一対のタイヤアーム（１７）の接近限界を規定するストッパー（４０）が設けてある請求項５から７のいずれかひとつに記載の引戸用の制動装置。
【発明の詳細な説明】
【技術分野】
【０００１】
本発明は、ガイドレールに沿って開閉される引戸用の制動装置に関し、なかでも、開閉途中の引戸が一定速度を越えて開閉されるときに制動して停止させる制動装置に関する。本発明における引戸とは、開口部が単数あるいは複数の戸パネルで開閉される引戸、連動引戸、門扉等を含む概念である。
【背景技術】
【０００２】
近年の引戸は、車椅子の使用者や高齢者が戸パネルを開閉することを前提にして、ガイドレールおよびランナーの構造改良や戸パネルの軽量化等に伴い、より小さな力で戸パネルを軽快に開閉できる傾向にある。こうした引戸は、誰もが戸パネルの開閉を軽快に行える反面、開閉時の抵抗が小さすぎるため思わぬ事故を誘発することがある。例えば、バランスを崩したユーザーが戸パネルの把手にもたれ掛かった場合に、戸パネルが急激に移動してユーザーが転倒し負傷することがある。
【０００３】
上記のような事故を未然に防止することに関して、引戸が一定速度を越えて開閉されるときに制動作用を発揮する制動装置が提案されている。例えば特許文献１においては、門扉を支持する車輪の一側に制動装置を配置している。制動装置は、車輪と同行回転する円盤状の制動子保持体と、制動子保持体を収容する丸筒状の制動枠と、制動子保持体の周面に設けた保持溝に収容される制動子（金属製のボール）などで構成してある。制動枠の内面の上部には、制動子保持体の周面と小さな隙間を介して対向する膨出部が設けてあり、それ以外の部分は制動子保持体の周面と大きな隙間を介して対向している。膨出部の両端には、遠心力で保持溝から突出した制動子を受止める係止部（段部）が設けてある。この制動装置は、車輪および制動子保持体が一定速度を越えて回転するときの遠心力で、制動子が保持溝から突出して係止部で受止められることにより、制動子保持体および車輪の回転を急激に停止させる。回転停止した車輪は、ガイドレールあるいは路面上を滑って大きな摩擦力を発揮し門扉を停止させる。
【０００４】
本出願人は同様の制動構造を先に提案している（特許文献２）。そこでは、戸車ローラーと、その回転動力を伝導するギヤトレインと、遠心クラッチと、ロータリーダンパーなどで制動構造を構成している。戸パネルが一定速度を越えて閉じ操作されると、戸車ローラーの回転動力がギヤトレインを介して遠心クラッチに伝動され、同クラッチが動力伝動可能な状態に切換ってロータリーダンパーを作動させる。ロータリーダンパーはオイルダンパーからなり、回転駆動されるギヤとオイルとの間の回転抵抗によって制動力を発揮する。
【先行技術文献】
【特許文献】
【０００５】
【特許文献１】特開２０１３−１６０２７０号公報（段落番号００２９、図４）
【特許文献２】特許第５１３１９０１号公報（段落番号００４２、図１）
【発明の概要】
【発明が解決しようとする課題】
【０００６】
特許文献１の制動装置は、制動子保持体が一定速度を越えて回転するときの遠心力で制動子を保持溝に沿って移動させ、保持溝から突出した制動子を係止部で受止めて、車輪の回転を急激に停止させる。この種の制動装置は、軽い制動子を遠心力で径方向へ移動させて車輪の回転を停止するので、制動子保持体の回転速度が比較的低速である場合にも制動作用を発揮できる。しかし、車輪と制動子保持体とが車軸を介して一体化してあるため、運動慣性力が大きくなりやすい門扉とは異なり、軽快に開閉できる引戸に制動装置を適用する場合に問題を生じる。
【０００７】
軽快に開閉できる引戸に上記の制動装置を適用する際には、制動装置の全体を小形化して目立ちにくいようにする必要があるが、そうすると、車輪の直径が極端に小さくなる。そのため、戸パネルを開閉するときの車輪および制動子保持体の回転数が必要以上に高速化し、戸パネルの開閉速度がさほど速くない状態であっても制動装置が作動して、戸パネルの開閉を円滑に行えなくなる。つまり、速度を検知するときの感度が敏感になりすぎる。車輪の直径をある程度大きくすると速度検知の感度を低下できるが、その場合には、制動装置の外観上の体裁が損なわれるのを避けられない。また、制動装置による車輪の回転停止があまりにも急激であるため、停止反力を受けたユーザーの体勢バランスが崩れることがあり、使い勝手に大きな問題がある。
【０００８】
その点、特許文献２の制動構造は、遠心クラッチが動力伝動可能な状態に切換ったのちでないとロータリーダンパーが作動しないので、戸パネルの開閉動作が不必要に停止されるのを解消できる。また、ロータリーダンパーの制動力は緩やかに増減するので、制動構造が作動してから戸パネルが停止するまでの時間を長引かせることができる。しかし、制動構造が作動してから戸パネルが停止するまでのタイムラグが大きい。そのため、バランスを崩したユーザーが戸パネルの把手にもたれ掛かった場合に、戸パネルがもたれ掛かり方向へ移動しロータリーダンパーが作動したとしても、ユーザーの転倒防止に間に合わないおそれがある。さらに、特許文献２の制動構造では、戸車ローラーと、ギヤトレインと、遠心クラッチおよびロータリーダンパーなどで制動構造を構成するので、全体構造が複雑で、構成部品点数が多い分だけ全体コストが嵩む不利があった。
【０００９】
本発明の目的は、戸パネルを開閉する際にユーザーの体勢バランスが崩れるのを確実に防止できる、非力なユーザーに優しく使い勝手に優れた引戸用の制動装置を提供することにある。
本発明の目的は、開閉途中の戸パネルを強制的に制動できるにもかかわらず、戸パネルの開閉動作が不必要に停止されるのを解消できる引戸用の制動装置を提供することにある。
本発明の目的は、回転停止したタイヤとその転動面との摩擦力に加えて、タイヤの食込み作用によっても制動力を発揮でき、従って、小形でコンパクト化されているにもかかわらず、戸パネルの開閉を確実にしかも即時に停止できる引戸用の制動装置を提供することにある。
【課題を解決するための手段】
【００１０】
本発明は、戸パネル１と、戸パネル１で開閉される開口面の周囲壁との間に設けられて、一定速度を越えて開閉移動する戸パネル１を制動する引戸用の制動装置に係る。図１に示すように、制動装置は、転動部７に外接した状態で戸パネル１の開閉動作に連動して回転駆動されるタイヤ１３および駆動ギヤ１４と、駆動ギヤ１４の回転動力を受継ぐ制動ギヤ１５と、制動ギヤ１５と同行回転して回転数が閾値を越えた状態において制動力を発揮するブレーキ機構と、これらの部材が装着される制動ベース１６を備えている。タイヤ１３および駆動ギヤ１４は、制動ギヤ１５の周囲に配置されて、駆動ギヤ１４が制動ギヤ１５と噛合った状態のままで、制動ギヤ１５の回りに回動変位できるようタイヤアーム１７で回動可能に支持してある。タイヤアーム１７は、タイヤ１３が転動部７と外接する向きにばね３９で回動付勢する。戸パネル１と開口面の周囲壁のいずれか一方に制動ベース１６を固定し、残る他方にタイヤ１３と外接する転動部７を設ける。
【００１１】
タイヤ１３および駆動ギヤ１４は、制動ギヤ１５の周囲の左右２個所に配置する。
【００１２】
タイヤ１３および駆動ギヤ１４を支持するタイヤアーム１７と、制動ギヤ１５およびブレーキ機構を、ギヤ支軸３４を介して制動ベース１６に組付けて、制動装置をユニット部品化する。
【００１３】
駆動ギヤ１４のギヤ径を制動ギヤ１５のギヤ径より小さく設定して、タイヤ１３の回転力を駆動ギヤ１４から制動ギヤ１５へ減速した状態で伝動する。
【００１４】
ブレーキ機構は、制動ギヤ１５と同行回転するボールホルダー４２と、ボールホルダー４２に設けた複数の保持溝４３に収容される制動ボール４４と、ボールホルダー４２を収容するブレーキドラム４５を備えている。ブレーキドラム４５の内面上部には一対のボール受部４７を備えた膨出部４８を形成し、膨出部４８を除くブレーキドラム４５の内面に、制動ボール４４が保持溝４３から径方向外側へ突出するのを許す逃げ面４９を形成する。
【００１５】
戸パネル１に制動ベース１６を固定し、開口枠２に固定したガイドレール４に転動部７を一体に設ける。駆動ギヤ１４と制動ギヤ１５は、制動ギヤ１５の周面で噛合って、タイヤ１３が転動部７と制動ギヤ１５の外郭線とで挟まれた幅狭部Ｅに臨ませてある。制動ボール４４がボール受部４７で受止められた状態において、タイヤ１３が前記幅狭部Ｅへ向かって食込んで制動力を増強する。
【００１６】
制動ギヤ１５とボールホルダー４２は一体に形成して、制動ベース１６に装着したギヤ支軸３４で回転自在に軸支する。タイヤ１３は、駆動ギヤ１４と一体に形成したタイヤホィール２０と、タイヤホィール２０の周面に固定したタイヤ体２１とで構成して、タイヤアーム１７に装着したタイヤ軸２２で回転自在に軸支する。タイヤアーム１７はギヤ支軸３４で回動可能に支持する。
【００１７】
制動ベース１６は、戸パネル１に固定される締結壁３１と、締結壁３１の外面において同壁３１と正対する外立壁３２を一体に備えている。外立壁３２の外面に、一対のタイヤアーム１７の接近限界を規制するストッパー４０を設ける。
【発明の効果】
【００１８】
本発明では、制動ギヤ１５の周囲に配置されるタイヤ１３および駆動ギヤ１４と、これら両者を支持するタイヤアーム１７と、制動ギヤ１４と同行回転するブレーキ機構と、各部材を支持する制動ベース１６などで制動装置を構成した。また、タイヤアーム１７をばね３９で回動付勢して、タイヤ１３を転動部７に常に外接させるようにした。こうした制動装置によれば、戸パネル１が開閉される場合に、タイヤ１３を転動面７に沿って回転駆動させて、タイヤ１３の回転力で制動ギヤ１４およびブレーキ機構を回転駆動できる。また、ブレーキ機構の回転数が閾値を越えた状態では、同機構の制動力によって戸パネル１の開放移動あるいは閉じ移動を強制的に制動し、あるいは停止できる。
【００１９】
従って、本発明の制動装置によれば、バランスを崩したユーザーが戸パネル１の把手９にもたれ掛かった場合でも、ユーザーの体勢バランスが大きく崩れてしまう前に戸パネル１を強制的に制動ないし停止させて、ユーザーが転倒し負傷するのを解消できる。また、戸パネル１が通常の開閉速度で開閉される場合には、ブレーキ機構が制動作用を発揮することはないので、戸パネル１の開閉を軽快に行うことができ、従って、非力なユーザーに優しく使い勝手に優れた引戸用の制動装置を提供することができる。さらに、タイヤ１３および駆動ギヤ１４を、それぞれタイヤアーム１７で制動ギヤ１４の回りに回動変位可能に支持するので、例えば戸パネル１が高さ調整された場合であっても、戸パネル１の調整移動に追随してタイヤ１３の姿勢を変更できる。従って、戸パネル１の高さ調整時にブレーキ機構を調整する必要がなく、高さ調整とは無関係に、常に適正な制動力を発揮できる制動装置が得られる。
【００２０】
制動ギヤ１５の周囲の左右２個所に、タイヤ１３および駆動ギヤ１４を配置すると、戸パネル１が開放移動し、あるいは閉じ移動する際のいずれの場合にも、戸パネル１を強制的に制動し、あるいは停止できる。従って、戸パネル１を開閉する際にユーザーの体勢バランスが崩れるのを、開閉双方向において確実に防止できる。
【００２１】
タイヤ１３および駆動ギヤ１４を支持するタイヤアーム１７と、制動ギヤ１５およびブレーキ機構を、ギヤ支軸３４を介して制動ベース１６に組付けて、制動装置がユニット部品化してあると、制動装置を既存の戸パネル１に追加装着するだけで、引戸に制動機能を付加することができる。また、ユニット部品化された制動装置は、戸車５やランナーの構造とは無関係に、独立した状態で戸パネル１や開口面の周囲壁に装着すればよいので、戸パネル１の支持構造が上荷重型である場合や、下荷重型である場合にも支障なく適用でき、汎用性に優れる点で有利である。
【００２２】
タイヤ１３の回転力を駆動ギヤ１４から制動ギヤ１５へ減速した状態で伝動すると、制動装置が従来装置に比べて小形化してある場合でも、制動ギヤ１５およびブレーキ機構の回転数を低下させて、遠心式のブレーキ機構に作用する遠心力を小さくすることができる。また、ブレーキ機構の駆動回転数が小さくなるのに伴って、戸パネル１が開閉されるときの開閉速度の検知感度を低下して、戸パネルの開閉速度がさほど速くない場合に、ブレーキ機構が不必要に制動作用を発揮するのを解消できる。従って、開閉途中の戸パネル１を強制的に制動できるにもかかわらず、常態において戸パネル１の開閉動作が不必要に停止されるのを解消して、戸パネル１の開閉を円滑に行うことができる。
【００２３】
制動ギヤ１５と同行回転するボールホルダー４２と、同ホルダー４２の保持溝４３に収容される制動ボール４４と、ボールホルダー４２を収容するブレーキドラム４５などで構成したブレーキ機構によれば、ブレーキ機構に作用する遠心力が閾値を越えてから、制動力が発揮されるまでのタイムラグを極力小さくできる。例えば遠心クラッチ状に構成したブレーキ機構の場合には、遠心力が閾値を越えたのち制動力が徐々に増加し、ブレーキシューとブレーキドラムとの摩擦抵抗が一定の値に達して、戸パネル１を制動するのに時間がかかるのを避けられない。しかし、ボール式のブレーキ機構の場合には、遠心力が閾値を越えるのに即応して制動ボール４４をボール受部４７で受止めて、ボールホルダー４２の回転を衝撃的に停止させるので、制動力が発揮されるまでのタイムラグを小さくできる。従って、ユーザーの体勢バランスが大きく崩れてしまう前に戸パネル１を強制的に制動して、ユーザーが転倒し負傷するのをさらに確実に解消できる。
【００２４】
戸パネル１に制動ベース１６を固定し、開口枠２に固定したガイドレール４に転動部７を一体に設けると、転動部７を面一化できるので、タイヤ１３を円滑に回転させてボールホルダー４２の回転が乱れるのを防止し、ブレーキ機構による制動力を安定した状態で発揮できる。また、駆動ギヤ１４を制動ギヤ１５の周面に噛合わせて、タイヤ１３を幅狭部Ｅに臨ませておくことにより、戸パネル１が停止する直前にタイヤ１３が幅狭部Ｅへ向かって食込んで制動力を増強できる。詳しくは、制動ボール４４がボール受部４７で受止められたとき、タイヤ１３と転動部７との間に生じる摩擦力と、幅狭部Ｅへ向かって食込んだとき、タイヤ１３が転動部７に強く押し付けられて接触面積が大きくなることに伴う摩擦力の増加分とを合計した、より大きな摩擦力で戸パネル１を停止できる。従って、ブレーキ機構に作用する遠心力が閾値を越えてから戸パネル１が停止するまでのタイムラグを、さらに小さくできる。
【００２５】
タイヤ１３のタイヤホィール２０と駆動ギヤ１４を一体に形成し、制動ギヤ１５とボールホルダー４２を一体に形成し、タイヤ１３および駆動ギヤ１４を支持するタイヤアーム１７と、制動ギヤ１５およびボールホルダー４２を、共通のギヤ支軸３４で支持した。こうした、制動装置によれば、ブレーキ機構の構成部品点数を少なくして、その製造コストを削減できる。また、構成部品点数が少ない分だけブレーキ機構の動作の信頼性を向上できる。さらに、タイヤホィール２０と、その周面に固定したタイヤ体２１でタイヤ１３を構成すると、転動部７を転がり移動するときのタイヤ１３の転動騒音を小さくできる。加えて、タイヤ１３が幅狭部Ｅへ向かって食込む場合に、タイヤ体２１を大きく弾性変形させて転動部７との接触面積を大きくし、より大きな摩擦力で戸パネル１を制動できる。
【００２６】
締結壁３１と外立壁３２を備えた制動ベース１６において、外立壁３２の外面に一対のタイヤアーム１７の接近限界を規定するストッパー４０を設けると、ばね３９の付勢力が作用する状態でタイヤアーム１７を接近限界に位置保持できる。従って、タイヤアーム１７がぐら付くのを防止した状態で、制動装置を戸パネル１に組付けることができ、さらに戸パネル１を上下のガイドレール３・４に組込む際に、左右のタイヤ１３を適正な傾斜姿勢で転動部７に外接することができる。
【図面の簡単な説明】
【００２７】
【図１】本発明に係る制動装置の縦断正面図である。
【図２】制動装置の適用例を示す引戸の正面図である。
【図３】制動装置の正面図である。
【図４】図１におけるＡ−Ａ線断面図である。
【図５】図１におけるＢ−Ｂ線断面図である。
【図６】制動装置の分解斜視図である。
【図７】ブレーキ機構の分解斜視図である。
【図８】制動装置の動作説明図である。
【図９】制動装置の別の適用例を示す縦断正面図である。
【図１０】制動装置の別の実施例を示す正面図である。
【図１１】制動装置のさらに別の実施例を示す縦断正面図である。
【図１２】制動装置のさらに別の実施例を示す縦断正面図である。
【図１３】図１２に係る制動装置の動作説明図である。
【発明を実施するための形態】
【００２８】
図１ないし図８は、本発明に係る引戸用の制動装置の実施例を示す。本発明における前後、左右、上下とは、図２および図４に示す交差矢印と、各矢印の近傍に表記した前後、左右、上下の表示に従う。図２において、引戸は３個の戸パネル１と、床面および開口枠２の上枠（開口面の周囲壁）に固定した下ガイドレール（ガイドレール）３および上ガイドレール（ガイドレール）４と、閉じ端側の戸パネル１と左右中央の戸パネル１の下部に配置した戸車（ランナー）５と、図示していない連動機構などで連動引戸として構成してある。連動引戸は、例えば浴室の出入口に適用される。戸車５には、戸パネル１の高さを調整するための高さ調整機構が組込んである。なお、開放端側の戸パネル１はロック構造で開口枠２に移動不能にロックしてあるが、ロックを解除すると開閉操作できる。図４に示すように上ガイドレール４は、下向きに開口するガイド溝を備えたアルミニウム条材からなり、ガイド溝に下向きの振止め壁６が突設され、レール前部に後述するタイヤ１３を転動案内する転動部７が一体に形成してある。転動部７は水平の平坦面として形成してある。図４において符号８は振止め壁６で移行案内される振止め溝、図２における符号９は閉じ端側の戸パネル１に設けた把手である。
【００２９】
連動引戸は、把手９を掴んで閉じ端側の戸パネル１を開閉操作することにより、閉じ端側の戸パネル１と中央の戸パネル１を連動して軽快に開閉できる。しかし、開閉時の抵抗が小さいため、バランスを崩したユーザーが把手９にもたれ掛かったような場合に、戸パネル１が急激に開放移動し、あるいは閉じ移動するおそれがある。こうした戸パネル１の意図しない開閉動作を防止するために、閉じ端側の戸パネル１と開口枠２との間に、戸パネル１の開閉速度が一定速度を越えた状態（閾値を越えた状態）で戸パネル１を制動ないし停止させる制動装置を設ける。この実施例では、制動装置が戸パネル１の上部中央に固定してある場合について説明する。
【００３０】
図３ないし図５において制動装置は、戸パネル１の開閉動作に連動して回転駆動されるタイヤ１３および駆動ギヤ１４と、駆動ギヤ１４の回転動力を受継ぐ制動ギヤ１５と、制動ギヤ１５と同行回転して遠心力（または回転数）が閾値を越えた状態において制動力を発揮するブレーキ機構と、これらの部材を支持する制動ベース１６などで、１個のユニット部品として構成してある。戸パネル１が開放操作されるときと、戸パネル１が閉じ操作されるときのいずれの場合にも対応できるようにするために、タイヤ１３および駆動ギヤ１４は、制動ギヤ１５の上半部の周囲の左右２個所に配置してある。また、駆動ギヤ１４が制動ギヤ１５と噛合った状態のままで、同ギヤ１５の中心軸の回りに回動変位できるよう、タイヤ１３および駆動ギヤ１４はタイヤアーム１７で回動可能に支持してある。
【００３１】
左右のタイヤ１３は、駆動ギヤ１４と一体に形成したプラスチック製のタイヤホィール２０と、タイヤホィール２０の周面に固定したＯリング状のゴム製のタイヤ体２１とで構成する。左右のタイヤ１３および駆動ギヤ１４は、前後一対ずつのタイヤアーム１７でタイヤ軸２２を介して回動自在に軸支してある。図６に示すように、タイヤアーム１７は、タイヤ１３および駆動ギヤ１４の前後面を挟む前アーム（アーム）２３と後アーム（アーム）２４を備えており、これら両アーム２３・２４には、タイヤ軸２２用の挿通穴２５と、後述するギヤ支軸３４用の連結穴２６が形成してある。前アーム２３および後アーム２４はステンレス板材製のプレス金具からなり、後アーム２４は前アーム２３より長く形成されている。締結壁３１と駆動ギヤ１４の間に配置した後アーム２４の下端には、ばね掛腕２７が折曲げ形成してある。
【００３２】
図６において、制動ベース１６は、戸パネル１にビス３０で固定される四角形状の締結壁３１と、締結壁３１の前面と正対するトンネル断面状の外立壁３２と、これら両壁３１・３２を繋ぐ底壁３３を一体に備えた、ステンレス板材製のプレス金具からなる。締結壁３１および外立壁３２には、ギヤ支軸３４用の連結穴３５と、ブレーキ機構を固定するためのビス穴などが形成してある。また、底壁３３の側縁寄りには、後述するばね３９を係止する穴が形成してある。制動ギヤ１５およびブレーキ機構と後アーム２４は、締結壁３１と外立壁３２との間に配置されて、外立壁３２の前面に配置した前アーム２３と共にギヤ支軸３４で支持してある。
【００３３】
詳しくは、ギヤ支軸３４を締結壁３１の後面側から連結穴３５に差込み、さらに後アーム２４の連結穴２６と、制動ギヤ１５およびブレーキ機構と、前アーム２３の連結穴２６に差し込んだのち、ギヤ支軸３４の軸端にビス３６をねじ込むことにより各部材を制動ベース１６に組付けている。また、前アーム２３および後アーム２４の間にタイヤ１３および駆動ギヤ１４とディスタンスカラー３７を配置した状態で、タイヤ軸２２を挿通穴２５、タイヤ１３、および駆動ギヤ１４に挿通し、タイヤ軸２２の軸端にビス３８をねじ込むことにより、タイヤ１３および駆動ギヤ１４をタイヤアーム１７に組付けている。
【００３４】
上記の組付け状態において、後アーム２４のばね掛腕２７と底壁３３との間に引張りコイル形のばね３９を係止することにより、一対のタイヤアーム１７は互いに接近する向きに回動付勢されて、左右のタイヤ１３のそれぞれが、転動部７に圧接する向きに回動付勢される。この状態の駆動ギヤ１４と制動ギヤ１５は、制動ギヤ１５の上部左右で噛合っており、タイヤ１３は転動部７と制動ギヤ１５の外郭線とで挟まれた幅狭部Ｅ（図１参照）に臨んでいる。先に説明したように、タイヤアーム１７は駆動ギヤ１４を支持するギヤ支軸３４で回動可能に軸支されている。そのため、外力を受けたタイヤ１３がタイヤアーム１７と共にギヤ支軸３４の回りに回動する場合には、駆動ギヤ１４は制動ギヤ１５と噛合った状態のままで同ギヤ１４の中心軸の回りに回動変位する。外立壁３２の前面には、左右のタイヤアーム１７の回動軌跡に臨んでストッパー４０がねじ込み装着してあり、これらのストッパー４０で自由状態におけるタイヤアーム１７の接近限界を規定している（図３参照）。
【００３５】
図７に示すように、ブレーキ機構は制動ギヤ１５と同行回転するボールホルダー４２と、ボールホルダー４２に設けた４個の保持溝４３に収容される制動ボール４４と、ボールホルダー４２を収容するブレーキドラム４５などで構成する。ボールホルダー４２は、ステンレス材を素材にしてロストワックス法で形成することができ、あるいは、プレス機で打抜き形成した板材の多数個を積層し一体化して形成することができる。ボールホルダー４２の周面の４個所には、Ｕ字状の保持溝４３が形成してある。制動ボール４４は鋼球からなり、その直径寸法は保持溝４３の径方向の深さ寸法と一致している。ブレーキドラム４５は外形がトンネル断面状に形成してあり、先のボールホルダー４２と同様に、ステンレス材を素材にしてロストワックス法で形成することができ、あるいは、プレス機で打抜き形成した板材の多数個を積層し一体化して形成することができる。ブレーキドラム４５の内部には、ボールホルダー４２を収容する凹部４６が形成してある。
【００３６】
凹部４６の内周面の上部中央には、左右一対のボール受部４７を備えた膨出部４８が形成され、膨出部４８を除く凹部４６の内面に、制動ボール４４が保持溝４３から径方向へ突出するのを許す逃げ面４９が円弧面状に形成してある。ボール受部４７は、制動ボール４４の球半径と同じ半径の円弧面で形成してあり、その円弧面の仮想中心を挟む角度は約３０度とした。これは、逃げ面４９の周方向長さを大きくして、制動ボール４４の遠心力が制動ボール４４の重力より大きくなった時点で、制動ボール４４をボール受部４７で直ちに受止めるためである。逃げ面４９の半径寸法は、遠心力を受けた制動ボール４４が保持溝４３から球半径分だけ突出したとき、制動ボール４４の周面を受止める値に設定してある。図３に示すようにブレーキドラム４５は、左右の下隅に挿通したビス５０で制動ベース１６の外立壁３２に締結固定してある。図３において符号５３は、制動ベース１６の外面を覆う化粧カバーであり、化粧カバー５３は制動ベース１６の外立壁３２に着脱可能に係合装着してある。
【００３７】
タイヤ１３が転動部７に沿って回転駆動されるときのボールホルダー４２の駆動回転数を小さくするために、タイヤ１３の回転動力を駆動ギヤ１４から制動ギヤ１５へ減速した状態で伝動している。具体的には、駆動ギヤ１４のギヤ径を制動ギヤ１５のギヤ径の２分の１に設定して、制動ギヤ１５およびボールホルダー４２の駆動回転数を、駆動ギヤ１４の駆動回転数の２分の１に設定した。このように、タイヤ１３の回転動力を制動ギヤ１５に減速して伝動すると、ブレーキ機構が戸パネル１の開閉速度を検知するときの感度が敏感になるのを抑止して、戸パネル１の開閉動作が不必要に停止されるのを解消できる。
【００３８】
以下に、ブレーキ機構の動作を説明する。戸パネル１が上下のガイドレール３・４に組込まれる前の状態では、図３に示すように、ばね３９で回動付勢された一対の前アーム２３は、それぞれストッパー４０で接近限界位置において受止められている。この状態のタイヤ１３の上半周面は、締結壁３１の上縁より上方に突出している。戸パネル１を上下のガイドレール３・４に組込んだ状態では、図１に示すようにタイヤ１３が転動部７で受止められるため、左右の駆動ギヤ１４は制動ギヤ１５と噛合った状態のままで、それぞれ下向きに回動し、タイヤアーム１７をばね３９の付勢力に抗して同行回動させる。これにより、左右のタイヤアーム１７が挟む角度は、接近限界位置において一対のタイヤアーム１７が挟む角度よりも大きくなる。
【００３９】
戸パネル１が静止している状態において、ボールホルダー４２の下半周面側に位置している制動ボール４４は、自重で保持溝４３から転がり出て逃げ面４９で受止められている。また、ボールホルダー４２の上半周面側に位置している制動ボール４４は、自重で保持溝４３の内奥へ移動してボール全体が保持溝４３内に収まっている。図８（ａ）に示すように、静止していた戸パネル１を矢印Ｐ方向へ開放操作すると、転動部７に圧接している左右のタイヤ１３は、それぞれ反時計回転方向へ回転駆動され、制動ギヤ１５は左右の駆動ギヤ１４から均等な回転力を受けて、時計回転方向へ回転駆動される。同時に、ボールホルダー４２が制動ギヤ１５と同方向へ回転駆動されて制動ボール４４に遠心力が作用する。
【００４０】
しかし、戸パネル１の開放速度が低い場合には、ボールホルダー４２の駆動回転数が小さく、制動ボール４４に作用する遠心力が制動ボール４４の重力より小さいため、ボールホルダー４２の上半周面側に位置している制動ボール４４は保持溝４３内に収まった状態を維持する。また、ボールホルダー４２の回転速度が小さい場合には、たとえ制動ボール４４が逃げ面４９で受止められたとしても、ボール受部４７に案内されて保持溝４３の内部へ押戻される。従って、ブレーキ機構が制動作用を発揮することはなく、ボールホルダー４２はブレーキドラム４５に対して空転するだけであるため、戸パネル１の開放を軽快に行うことができる。
【００４１】
図８（ｂ）は、戸パネル１の開放速度が一定速度を越えた状態を示している。この状態では、ボールホルダー４２の上半周面側に位置している制動ボール４４の遠心力が、制動ボール４４の重力より大きくなった時点で、全ての制動ボール４４が保持溝４３から径方向外側へ突出する。この状態のまま、ボールホルダー４２が時計回転方向へ回動すると、図８（ｃ）において１１時の位置（左上）に位置している制動ボール４４がボール受部４７で受止められて、制動ボール４４およびボールホルダー４２の回転が阻止され、同時に駆動ギヤ１４およびタイヤ１３の回転が阻止される。そのため、タイヤ１３のタイヤ体２１は転動部７の表面に圧接した状態のままで移動することになり、その時のタイヤ体２１と転動部７の間の大きな摩擦力によって、戸パネル１の移動を制動することができる。ボール受部４７に衝突した制動ボール４４は衝撃的に停止するが、衝突の直後にゴム製のタイヤ体２１が転動部７に沿って滑るので、制動ボール４４の衝突に伴う衝撃はある程度緩和される。
【００４２】
ブレーキ機構は、タイヤ体２１と転動部７の間の摩擦力に加えて、タイヤ１３が幅狭部Ｅへ向かって食込む作用によってさらに大きな制動力を発揮する。タイヤ１３の回転が阻止された状態では、戸パネル１の運動慣性力が制動摩擦力より小さくなるまでの間、戸パネル１は矢印Ｐ方向へ移動しようとする。そのため、図８（ｃ）に向かって右側のタイヤ１３には矢印Ｐ方向とは逆向きの摩擦力が作用し、摩擦力を受けたタイヤ１３は幅狭部Ｅへ向かって食込み、タイヤ体２１の変形量が増加する。これに伴い、タイヤ体２１の変形量が増加した分だけ転動部７との接触面積が増加して制動摩擦力が増強される。従って、従来装置に比べて制動装置が小形化され、コンパクト化されているにもかかわらず、戸パネル１の開閉を確実にしかも即時に停止できる。また、タイヤ１３が幅狭部Ｅへ向かって食込む際にタイヤ体２１の変形量が増加することで、制動ボール４４がボール受部４７と衝突したときの停止衝撃を緩和吸収できる。上記のように、タイヤ１３は戸パネル１の移動方向とは逆向きの摩擦力を受けて幅狭部Ｅへ向かって食込むので、タイヤアーム１７を移動付勢するばね３９のばね力を大きくする必要はなく、タイヤ１３が戸パネル１の上下調整に追従させる程度の、比較的小さなばね力を備えていれば足りる。
【００４３】
なお、戸パネル１が停止した状態では、タイヤ１３に作用する摩擦力がゼロとなるためタイヤ体２１が自由状態に戻る。また、制動ボール４４の自重が、制動ボール４４とボール受部４７の摩擦力より大きくなると、制動ボール４４はボール受部４７から離れて、保持溝４３内へ自重で落下する。解放状態の戸パネル１を閉じ操作する場合には、戸パネル１の閉じ速度が一定速度を越えた状態で、逃げ面４９に沿って反時計回転方向へ回動する制動ボール４４が、図８に向かって右側のボール受部４７で受止められる点と、図８に向かって左側のタイヤ１３が幅狭部Ｅへ向かって食込む点が異なるだけであるので、その説明を省略する。
【００４４】
以上のように構成した制動装置によれば、体勢バランスが崩れて把手９にユーザーがもたれ掛かる状況において、急開閉された直後のブレーキ機構の制動作用で戸パネル１を減速ないし停止できるので、ユーザーの転倒を確実に防止し安全性を向上できる。また、タイヤ１３の回転動力を制動ギヤ１５に減速して伝動するので、戸パネル１の開閉速度の検知感度が敏感になり過ぎるのを防止して、戸パネル１の開閉動作が不必要に停止されるのを解消できる。
【００４５】
制動装置の構成部品は全て制動ベース１６に組付けられていて、全体装置がユニット部品化してある。そのため、制動ベース１６を戸パネル１にビス３０で締結するだけで、新規に施工される引戸はもちろんのこと、既存の引戸であっても支障なく適用できる。また、回転動力を得るためのタイヤ１３および駆動ギヤ１４を、制動ギヤ１５の上部左右に配置するので、戸パネル１が開放される場合と閉止される場合のいずれの場合にも、制動作用を均等に発揮できる。さらに、タイヤ１３および駆動ギヤ１４をタイヤアーム１７で支持して、駆動ギヤ１４が制動ギヤ１５と噛合った状態のままで、同ギヤ１５の周りに回動変位可能とするので、戸パネル１が高さ調整される場合であっても、戸パネル１の調整移動に追随してタイヤ１３の姿勢を変更できる。従って、戸パネル１の高さが調整された場合でも、ブレーキ機構を調整する手間を省くことができる。
【００４６】
図９は制動装置の別の適用例を示す。そこでは、ユニット部品化された制動装置を戸パネル１の下部に固定している。左右のタイヤ１３および駆動ギヤ１４は、制動ギヤ１５の下半周囲の左右２個所に配置してあり、タイヤ１３は床面（開口面の周囲壁）を転動部７にして回転駆動される。この場合のブレーキドラム４５の外形は逆トンネル断面状に形成するが、上記の実施例と同様に、凹部４６の内周面の上部中央に左右一対のボール受部４７を備えた膨出部４８を形成する。床面を転動部７として利用する場合には、例えば床面が一群の床板で形成してある場合に多少の凹凸を生じるが、タイヤアーム１７がばね３９で付勢されて左右のタイヤ１３が独立して転動部（床面）７に圧接するので、先の凹凸を吸収しながらタイヤ１３を確実に回転駆動することができる。他は先の実施例と同じであるので、同じ部材に同じ符号を付してその説明を省略する。以下の実施例においても同じとする。
【００４７】
図１０は制動装置の別の実施例を示す。そこでは、ばね３９を捩じりコイルばねで構成し、一対のばね腕３９ａを左右の前アーム２３に掛止して、タイヤアーム１７を互いに接近する向きへ移動付勢した。この場合の後アーム２４は、前アーム２３と同じ長さに形成してあればよい。
【００４８】
図１１は制動装置のさらに別の実施例を示す。この実施例では、ボールホルダー４２の上半周面側に位置している制動ボール４４の保持溝４３からの突出動作を、左右一対の磁石５４の吸着力によって補助して、ブレーキ機構が戸パネル１の開閉速度を検知するときの感度を調整できるようにした。磁石５４はコ字枠状のホルダー５５の両端下面に固定してあり、ホルダー５５の左右中央には調整ねじ５６がねじ込んである。調整ねじ５６を回動操作して磁石５４の高さ位置を変更すると、磁石５４の下方を通過する制動ボール４４に作用する磁力を大小に変更調整でき、これにより、制動ボール４４が保持溝４３から突出するタイミングを調整できる。
【００４９】
図１２および図１３は制動装置のさらに別の実施例を示す。そこでは、ブレーキ機構を遠心クラッチ状に構成して、制動ギヤ１５の回転速度が一定の値を越える場合に、一対のブレーキシュー６０をブレーキドラム４５の内面と接触させ、その時の摩擦抵抗によって戸パネル１の開閉移動を停止させるようにした。ブレーキ機構は、制動ギヤ１５と一体に形成される断面太鼓形のブレーキ軸６１と、ブレーキ軸６１と同行回転する一対のブレーキシュー６０と、一対のブレーキシュー６０を接近する向きに付勢するブレーキばね６２と、これらの部材を収容するブレーキドラム４５を備えている。ブレーキシュー６０の一端は制動ギヤ１５に固定した支軸６３で回動可能に支持してあり、一対のブレーキシュー６０の対向面には、ブレーキ軸６１の回転動力を受継ぐ平坦面６４が形成してある。
【００５０】
常態における一対のブレーキシュー６０は、図１２に示すようにブレーキばね６２の付勢力を受けて互いに接近対向しており、ブレーキシュー６０の周囲の摩擦面６５はブレーキドラム４５の内面から離れている。しかし、制動ギヤ１５の回転速度が一定の値を越えると、図１３に示すように、ブレーキシュー６０は遠心力を受けて、ブレーキばね６２の付勢力に抗しながら支軸６３の回りに外開き回動し、その摩擦面６５がブレーキドラム４５の内面と接触して摩擦抵抗を生じる。このブレーキシュー６０とブレーキドラム４５の摩擦抵抗によって戸パネル１の開閉移動を停止させる。
【００５１】
上記の実施例では、タイヤ１３および駆動ギヤ１４が制動ギヤ１５の周囲の左右２個所に配置してある場合について説明したが、その必要はなく、タイヤ１３および駆動ギヤ１４は制動ギヤ１５の周囲の左右のいずれか一方に限って配置してあってもよい。例えば、図１に向かって左側のタイヤ１３および駆動ギヤ１４を省略して、戸パネル１が閉じ移動するときに制動力を発揮させて、勢いよく閉じ操作された戸パネル１による指挟みを防ぐことができる。
【００５２】
また、上記の実施例では、戸パネル１が戸車５で支持してある下荷重型の引戸について説明したが、本発明に係る制動装置は、戸パネル１が吊車型のランナーで支持してある上荷重型の引戸に適用してもよい。また、制動装置は開口枠２の側に設けることができる。例えば、開口面が１個の戸パネル１で開閉される引戸においては、制動装置を開口枠２に固定し、戸パネル１の側に転動面７を設けておくことにより、一定速度を越えて開閉移動する戸パネル１を制動し停止させることができる。本発明に係る制動装置は、戸パネル１が円弧面状の開閉軌跡に沿って開閉される引戸にも適用できる。
【００５３】
さらに、上記の実施例では、タイヤ１３の回転力を駆動ギヤ１４から制動ギヤ１５へ減速した状態で伝動するようにしたが、駆動ギヤ１４の回転動力を増速して制動ギヤ１５へ伝動し、あるいは駆動ギヤ１４の回転動力を等速度で制動ギヤ１５へ伝動してもよい。要は、戸パネル１の重量や大きさ、あるいは引戸の適用場所などの違いに応じて、制動装置に要求される仕様や制動機能が種々に異なるので、これらの要求仕様や制動機能に対応して、駆動ギヤ１４から制動ギヤ１５へ伝動される動力を、減速、増速、等速のいずれかで伝動する制動装置であればよい。
【００５４】
ブレーキ機構は、ボール式のブレーキ機構や、遠心クラッチ式のブレーキ機構以外に、オイルダンパーを制動要素にして構成することができる。タイヤ体２１はＯリング状に形成する必要はなく、タイヤホィール２０の周面の全体を覆う筒リング状に形成することができる。その場合には、タイヤ体２１の転動部７との接触面積を大きくして、ブレーキ機構が制動状態に切換ったときの摩擦抵抗を大きくすることができる。転動部７は必ずしも平坦面である必要はなく、例えば突リブ状、凹溝状、逆Ｖ字リブ状、Ｖ字溝などに形成してあってもよい。その場合のタイヤ１３の周面形状は、転動部７の断面形状に合致して形成してあればよい。駆動ギヤ１４および制動ギヤ１５のそれぞれをタイミングギヤで形成し、左右の駆動ギヤ１４と制動ギヤ１５にタイミングベルトを巻掛けて、タイヤ１３の回転力を制動ギヤ１５に伝動することができる。その場合の各ギヤ１４・１５の回転方向は同じ向きになる。制動ボール４４は、少なくとも２個設けてあれば足りる。
【符号の説明】
【００５５】
１  戸パネル
２  開口枠
４  上ガイドレール（ガイドレール）
７  転動部
１３  タイヤ
１４  駆動ギヤ
１５  制動ギヤ
１６  制動ベース
１７  タイヤアーム
４２  ボールホルダー
４３  保持溝
４４  制動ボール
４５  ブレーキドラム
４７  ボール受部
４８  膨出部
【図１】
2016070342.tif 000003
【図２】
2016070342.tif 000004
【図３】
2016070342.tif 000005
【図４】
2016070342.tif 000006
【図５】
2016070342.tif 000007
【図６】
2016070342.tif 000008
【図７】
2016070342.tif 000009
【図８】
2016070342.tif 000010
【図９】
2016070342.tif 000011
【図１０】
2016070342.tif 000012
【図１１】
2016070342.tif 000013
【図１２】
2016070342.tif 000014
【図１３】
2016070342.tif 000015